(57)【要約】【課題】注射器本体から注射針を手で取り外さないようにすること。【解決手段】フランジ３３１を有する差し込みヘッド３３に支持された注射針３が注射器本体５の針装着部５１５に装着されてなる注射器１の使用後に注射針３を注射器本体５から分離して回収するための針回収容器７に設けられ、注射器本体から注射針を抜き取ると共に、抜き取られた注射針を針回収容器内に落下させるための注射針離脱貝である。注射針離脱具は、針回収容器の蓋体７３に注射針３が挿入状態で移動されるスリット７３１と、注射針の移動に伴い注射器本体５から注射針を分離させる一対の板バネ７５１とを備える。板バネ７５１は、蓋体の裏面に、スリット７３１を問に挟んだ状態で設けられ、スリットのうち注射針の進行方向における始端部側から終端部側に進むに連れて下方への突出量が増大する。板バネ７５１は、注射針３をスリット７３１で移動した時に、注射器本体先端５１３とフランジ３３１との間の隙間Ｓに介在される。【選択図】図３
2007082606.tif 000002
【特許請求の範囲】
【請求項１】
フランジを有する差し込みヘッドに支持された注射針が注射器本体の注射針装着部に装着されてなる注射器の使用後に当該注射針を注射器本体から分離して回収するための注射針回収容器に設けられ、前記注射器本体から前記注射針を抜き取ると共に、抜き取られた注射針を前記注射針回収容器内に落下させる注射針離脱具であって、
前記注射針離脱具は、
前記注射針回収容器の蓋体となる板状体と、
この板状体に形成され前記注射針が挿入状態で移動されるスリットと、
注射針の移動に伴い注射器本体から注射針を分離させる注射針分離部とを備え、
当該注射針分離部は、
前記板状体の裏面に前記スリットを間に挟んだ状態で設けられ、前記スリットのうち前記注射針の進行方向における始端部側から終端部側に進むに連れて下方への突出量が増大する傾斜体であって、
当該傾斜体は、前記注射針を前記スリットに入れた状態で移動した時に、注射器本体先端と前記差し込みヘッドの前記フランジとの間の隙間に介在されることを特徴とする注射針離脱具。
【請求項２】
前記傾斜体は、下向きに頂点を有する三角形状体であることを特徴とする請求項１に記載の注射針離脱具。
【請求項３】
前記傾斜体は、前記スリットの始端部側で固定され終端部側で自由にされた片持ち梁状の板バネであって、当該板バネをその長手方向における適所で下方に傾斜するように屈曲させるとともに先端部に段差を付けて当該先端部を前記板状体側に屈曲するクランク状にした板バネであることを特徴とする請求項１に記載の注射針離脱具。
【請求項４】
前記板バネに外力が掛かっていない状態での前記板状体の裏面と、前記板バネの段差部分における基端との間の間隔は、注射器本体先端と前記差し込みヘッドのフランジとの間の隙間分に相当することを特徴とする請求項３に記載の注射針離脱具。
【請求項５】
前記板状体の裏面における前記スリット周りには、前記スリットの長手方向及び下方に進む程先細り形状とされることにより、回収された注射針の逆流を防止するための注射針逆流防止部を有することを特徴とする請求項１〜４のいずれかに記載の注射針離脱具。
【請求項６】
請求項１〜５のいずれかに記載の注射針離脱具を有する注射針回収容器。
【請求項７】
前記注射針回収容器は、前記注射針を分離した後の注射器本体を回収する注射器本体回収容器に一体化して設けられることを特徴とする請求項６に記載の注射針回収容器。
【発明の詳細な説明】
【技術分野】
【０００１】
本発明は使用済み注射針の回収技術に関する。
【背景技術】
【０００２】
病院や診療所で用いられる注射器は、その注射針を使用後、原形のまま廃棄すると、鋭利な針先で廃棄処理中に指先を刺したりする等の事故が起こり易い。またこのような事故に誘発されて、二次感染を招来し、場合によっては死に至る虞があることより、医療従事者や廃棄処理作業者の命を守るため、近年では注射針は勿論注射器本体についても、一度使用したものは再使用することなく廃棄する「使い捨て」が行なわれている。従って、廃棄される注射器の本数は極めて多い。
【０００３】
通常、注射器を廃棄するには、注射器本体から注射針を取り外し、該注射針を専用の容器に封入して廃棄するという手法が採られている。
【０００４】
しかるに、注射器本体から注射針を手で取り外して専用の容器に封入する作業は面倒である。また、当該作業中に誤って手指等に注射針を突き刺してしまう虞もあった。
【特許文献１】特開２００２−２０４８１７号公報
【発明の開示】
【発明が解決しようとする課題】
【０００５】
本発明はこのような実情に鑑みて為されたものであり、その解決しようとする課題は、注射器本体から注射針を手で取り外す必要がないことは勿論、注射針を専用の容器に封入する作業も不要故、誤って手指等に注射針を突き刺してしまうことを有効に防止できる技術を提供することにある。
【課題を解決するための手段】
【０００６】
そこで、本発明では次の手段を採用した。
【０００７】
すなわち、本発明の注射針離脱具は、フランジを有する差し込みヘッドに支持された注射針が注射器本体の注射針装着部に装着されてなる注射器の使用後に当該注射針を注射器本体から分離して回収するための注射針回収容器に設けられ、前記注射器本体から前記注射針を抜き取ると共に、抜き取られた注射針を前記注射針回収容器内に落下させる注射針離脱具であって、前記注射針離脱具は、前記注射針回収容器の蓋体となる板状体と、この板状体に形成され前記注射針が挿入状態で移動されるスリットと、注射針の移動に伴い注射器本体から注射針を分離させる注射針分離部とを備え、当該注射針分離部は、前記板状体の裏面に前記スリットを間に挟んだ状態で設けられ、前記スリットのうち前記注射針の進行方向における始端部側から終端部側に進むに連れて下方への突出量が増大する傾斜体であって、当該傾斜体は、前記注射針を前記スリットに入れた状態で移動した時に、注射器本体先端と前記差し込みヘッドの前記フランジとの間の隙間に介在されることを特徴とする。
【０００８】
よって本発明の注射針離脱具によれば、スリットに注射針を入れた状態で使用者が注射器をその本体を持ってスリットに沿って移動すれば、注射針分離部の傾斜体は注射器本体先端と注射針の前記差し込みヘッドのフランジとの間の隙間に介在されるが、この傾斜体は注射針の進行方向における始端部側から終端部側に進むに連れて下方への突出量が増大するので、傾斜体が注射器本体先端と注射針の前記ヘッドとの間の隙間に介在された状態で注射針がスリットを進行するに連れて注射器本体先端と注射針の前記ヘッドとの間の隙
間は傾斜体により次第に大きくされ、やがて注射器本体から注射針は抜け落ちる。
【０００９】
抜け落ちた注射針は、注射針回収容器内に落下する。注射針回収容器は、板状体が注射針回収容器の回収口の蓋となっているので、注射針回収容器に回収された注射針は、注射針回収容器に閉じ込められる。
【発明の効果】
【００１０】
よって本発明の注射針離脱具によれば、注射器本体から注射針を手で取り外す必要がないことは勿論、注射針回収容器に取り付けておくことで該注射針を専用の容器に封入する作業も不要故、誤って手指等に注射針を突き刺してしまうことを有効に防止できる。
【発明を実施するための最良の形態】
【００１１】
以下、本発明の実施の形態（以下、実施形態）を添付した図面を参照して説明する。
【００１２】
図１を用いて一般的な注射器について説明する。
注射器１は、注射針３と注射器本体５とからなる。
【００１３】
注射針３は、ニードル３１にこれを固定的に支持する截頭円錐形状をした差し込みヘッド３３が設けられてなる。差し込みヘッド３３の基端部外周には外側に張り出すフランジ３３１が形成されている。フランジ３３１は、注射針３を注射器本体５に取り付けたり、外したりする際に用いられる。
【００１４】
注射器本体５は、外筒５１と、外筒５１に内嵌される内筒５３とからなる。
【００１５】
外筒５１は、後端に指用つば５１１が形成された透明筒体であって、透明樹脂やガラス材でできている。外筒５１の先端５１３は扁平三角錐状をしている。そして先端５１３のうち外筒５１の中心軸から偏心した箇所には注射針装着部５１５が軸方向に延びている。注射針装着部５１５は、注射針３を注射器本体５に装着するためのものであり、注射針装着部５１５を経由して、外筒５１内の薬剤がニードル３１に流入する。
【００１６】
内筒５３は、外筒５１に内嵌状態で外筒５１内を移動するものであり、当該移動にあたりその後端は親指あて５３１とされている。また、内筒５３の先端部はストッパー５３３であり、内筒５３の進行により外筒５１の先端５１３に当接する。
【００１７】
外筒５１の先端５１３と注射針３の差し込みヘッド３３のフランジ３３１との間には、ある程度の隙間がある。この隙間を符号Ｓで示す。
【００１８】
次にこのような注射器１を使用した後に注射器１を回収するための注射針回収容器７について図２乃至図１５を用いて説明する。
注射針回収容器７は、注射針３を分離した後の注射器本体５を回収する注射器本体回収容器９に図２に示すように一体化して設けられる。
【００１９】
注射針回収容器７は、注射針３を回収する注射針回収部本体７１と注射針回収部本体７１の蓋体となる板状体７３とからなる。板状体７３に注射針離脱具として機能が備えられている。
【００２０】
注射針回収部本体７１は、上方に開口する直方体であって、注射針回収部本体７１の開口を符号７１ａで示す（図７参照）。当該開口７１ａが板状体７３により閉塞される。
【００２１】
板状体７３は、注射器本体５から注射針３を抜き取って注射針回収部本体７１内に注射
針３を落下させるためのものである。そのために板状体７３には、その幅方向中央に板状体７３の長手方向に延びるスリット７３１が形成されている。スリット７３１の中心軸を符号Ｌｓで示す（図９等参照）
【００２２】
スリット７３１は、抜き取った注射針３が注射針回収部本体７１に丁度落下するように対応して形成したものであり、全体形状は恰もスポイト形状をしている。またスリット７３１は、ここに注射針３を入れた状態で、注射器１をスリット７３１の始端部７３１ｓから中間部７３１ｍを経由して終端部７３１ｅに向けて移動できるようにされている。
【００２３】
図３および図５に示すように、スリット７３１の始端部７３１ｓはこれをを平面で見ると、注射針３が装着された注射器本体５の外径幅寸法が幾分小さくて競技用トラックの一方の曲線部がないごとき形状をしている。また始端部７３１ｓに連続する中間部７３１ｍは、先細りの截頭二等辺三角形状をしており、終端部７３１ｅは一定幅を持った帯形状をしている。
【００２４】
当該一定幅の寸法は、注射針装着部５１５の外径よりもわずかに大きく設定してある。始端部７３１ｓは使用済み注射器１の注射針３が入れられる箇所であり、中間部７３１ｍは注射器１の進行中にその向きを調える箇所であり、終端部７３１ｅは当該箇所において注射針３が抜き取られる箇所である。
【００２５】
板状体７３のうち、スリット７３１周りの領域である周囲部分７３ｏ（図９乃至図１４の梨字模様の領域）は、注射針回収容器７の内側に向けて幾分折り曲げられて下り斜面となっている（図１５参照）。当該斜面の傾斜角度は、外筒５１の三角錐状をした先端５１３の傾斜角度に合致されている。
このようにしたのは、注射器１のスリット７３１における移動を安定的に行うためである。詳しくは動作説明の項で述べる。
【００２６】
また板状体７３の裏面７３ｉのうち周囲部分７３ｏにおけるスリット７３１の終端部７３１ｅの対応箇所は、スリット７３１の長手方向へ進むに連れて次第に下方への突出量が増大する傾斜体とされている。
【００２７】
傾斜体としては、例えば、図２，図３，図１０に示すように、前記始端部７３１ｓ側で固定され、終端部７３１ｅ側で自由な片持ち梁状の一対の板バネ７５１が適用される。当該板バネ７５１は、その長手方向において、スリット７３１の中間部７３１ｍと終端部７３１ｅとの境界部分Ｂに対応する箇所Ｂ１で下方に屈曲されている（図３参照）。よって、板バネ７５１は当該屈曲箇所Ｂ１からそれよりも自由端側に進む程、下方への突出量が増大する傾斜板である。
【００２８】
これら一対の板バネ７５１は板状体７３の裏面７３ｉに取り付けられるが、この時、当該一対の板バネ７５１によってスリット７３１を間に挟むようになっている（図３参照）。また板バネ７５１は下方に傾斜しているので、注射器１をスリット７３１に沿って移動した時に、注射針３の差し込みヘッド３３のフランジ３３１と板バネ７５１の下面とは当接する。
【００２９】
また板バネ７５１は、その先端側である自由端部７５１ｌを板状体７３側にわずかに折り曲げられて段差（折り曲げ幅）ｈ１が付けられ（図３，図１０参照）、もってクランク状にされている。当該段差を形成する段差部分における基端（第１の折り曲げ箇所）を符号７５１ｓで示し、終端（第２の折り曲げ箇所）を符号７５１ｅで示す。
【００３０】
そしてこの板バネ７５１に外力が掛かっていない状態での、板状体７３の裏面７３ｉと
板バネ７５１の第１の折り曲げ箇所である基端７５１ｓとの間の間隔ｈは、注射器本体５と注射針３の差し込みヘッド３３のフランジ３３１との間の隙間Ｓ分に相当する。また、板バネ７５１の自由端部７５１ｌと板状体３の裏面７３ｉとの間の隙間の大きさは（ｈ−ｈ１）分となる。なお、板バネ７５１の自由端部７５１ｌに対する固定端部を符号７５１ｆで示す。
【００３１】
注射針回収容器７の注射針回収本体７１の側面７１１には注射針３の回収具合を見るための回収量確認窓Ｗが設けられている。
【００３２】
注射器回収容器９は、図２に示すように、直方体の一隅を切り欠いたごとき形状体であって、当該切り欠き形状部９１に注射針回収容器７が装着されて両者を一体化するようになっている。また、その内部は、注射針３を分離した後の注射器本体５を回収できるように中空になっている。そして、注射器本体回収容器９の上面であって、スリット７３１の延長線上には、スリット７３１に直列して注射器本体回収容器９の注射器本体回収孔６３１が形成されている。
【００３３】
注射器本体回収容器９の内部には注射器本体回収孔６３１の周りに、先細り形状のホッパー７７が取り付けられている。ホッパー７７は、注射器本体５が注射器本体回収孔６３１に入れられた時に注射器本体５に係る衝撃力を緩和する。符号７７ａはホッパー開口であり、当該開口７７ａ経由で注射器本体回収容器９の内部に注射器本体５が導入される。ホッパー７７は先細り形状であるから、注射器本体回収孔６３１から注射器本体回収容器９に回収された注射器本体５は、その逆流が防止される。
注射器回収容器９にも注射針回収容器７と同様の回収量確認窓Ｗが設けられている。
【００３４】
次にこのような構成の注射針回収容器７を用いて注射器本体５からの注射針３の分離及び回収の手順について図９から図１５を用いて順次説明する。
【００３５】
（１）まず図９に示すように、注射針回収容器７のスリット７３１の始端部７３１ｓに、注射針３を下にして合わせる。そして図１０に示すように使用済み注射器１を始端部７３１ｓに挿入する。この時、注射針３の軸方向における向きは気にしなくてもよい。換言すれば、注射針３がスリット７３１の軸Ｌｓからずれていてもよい（図９参照）。当該挿入によって、外筒５１の扁平三角錐状をした先端５１３と内側に下り斜面な周囲部分７３ｏとが当接する（図１５参照）。斜面の傾斜角度は、外筒５１の三角錐状をした先端５１３の傾斜角度に合致されていると共に、先端５１３の両側に周囲部分７３ｏが位置するから、注射針３は上下の変位が阻止され安定して保持された状態となる。よって、注射器１のスリット７３１における移動を安定的に行える。
【００３６】
（２）この状態で、注射器１をそのままスリット７３１の長手方向に向けて移動する。やがて注射針装着部５１５は、スリット７３１の截頭二等辺三角形状をした中間部７３１ｍの斜辺に当接するようになるが（図１０参照）、そのまま注射器１を前方に移動する。注射針装着部５１５及びそれに装着されている注射針３が、スリット７３１の軸Ｌｓからずれた状態でかつ中間部７３１ｍの斜面に当接している状態で注射器１が進行すると、当該進行に伴い円筒形をした注射器１は回転し、やがて注射器本体５及び注射針３がスリット７３１の中心軸と同一軸線上に位置するようになり（図１１参照）、その後、スリット７３１の中間部７３１ｍを抜けて終端部７３１ｅに移動するようになる（図１１及び図１２参照）。
【００３７】
（３）注射器１をスリット７３１内で移動するに当たり、注射針装着部５１５の両側（注射針の進行方向に正対してその左右）でかつ外筒５１の先端５１３と注射針３の差し込みヘッド３３のフランジ３３１との間の隙間Ｓに板バネ７５１の固定端部７５１ｆが最初に
入る（図１０及び図１１参照）。そして、注射器１の進行に連れてスリット７３１の中間部７３１ｍを経由した後、終端部７３１ｅに至ると、板バネ７５１は下方へ傾斜している片持ち梁であり、その自由端部７５１ｌは、板状体７３との間で間隔（ｈ−ｈ１）分空いていると共に、注射器１は、その外筒５１の先端５１３がスリット７３１周りの周囲部分７３ｏと当接し、上下の変位はないから、スリット７３１を進行すれば、その進行の度合いに応じて板バネ７５１には、その自由端部７５１ｌが板状体７３の裏面との間の間隔ｈ−ｈ１を小さくする方向に差し込みヘッド３３のフランジ３３１から力が加わる。その結果、板バネ７５１には、弾性エネルギが蓄積されていく（図１２参照）。
【００３８】
そして、ある臨海点を境にそれまで蓄積されていた弾性エネルギにより一気に差し込みヘッド３３は板バネ７５１の自由端部７５１ｌによって叩かれるようになる。このため、そのときの衝撃力によって注射器本体５から注射針３は外されて注射針回収部本体７１に落下する（図１２及び図１３参照）。
【００３９】
臨界点とは、第１の折り曲げ箇所である基端７５１ｓを差し込みヘッド３３が通過した時点をいう。
【００４０】
板バネ７５１の自由端部７５１ｌによって差し込みヘッド３３が叩かれるのは、自由端部７５１ｌには段差ｈ１を設けてあるため、前記基端７５１ｓとフランジ３３１との当接が注射器１の進行に伴って解除されると、板バネ７５１とフランジ３３１との間にいきなり空間部ができ、もって蓄積されていた弾性エネルギにより、板バネ７５１が一気に元に戻ろうとするからである。なお、元の状態とは、板バネ７５１に対し、フランジ３３１から力が加わっていない状態をいう。
【００４１】
なお、段差ｈ１の大きさは、注射針３のスリット移動時に注射針３の差し込みヘッド３３のフランジ３３１が板バネ７５１に当接しつつ、やがて第１の折り曲げ箇所である基端７５１ｓを通過した時に、それまで板バネ７５１に板バネ７５１の自由端部７５１ｌが差し込みヘッド３３のフランジ３３１を上方から叩き、もって注射針３を注射器本体５から分離させる外力をヘッド３３に与えることが十分なものであればよい。
【００４２】
（４）注射針３が外れた注射器本体５はホッパー７７経由で注射器本体回収孔６３１から注射器本体回収室７１５に入れられる（図１４参照）。
【００４３】
このようにして使用済みの注射器１は注射針３には全く手を触れることなく注射器本体５から注射針３を分離してかつそれらを分別して処理することができる。
なお、注射器本体５と注射針３との結合の度合いは、これらを結合する人の力の大小によって異なるので、板バネ７５１の自由端部７５１ｌによって差し込みヘッド３３が叩かれる前に落下する場合と叩かれるまで落下しない場合とが考えられるが、叩かれることで注射胃本体５から注射針３を確実に分離させることができる。
【００４４】
また、板バネの代わりに傾斜体として下向きの凸状体、具体的には下向きに頂点を有する三角形状体を板状体７３と一体に形成してもよい。この場合、三角形状体の下方への突出量が注射器本体５の先端５１３と注射針３の差し込みヘッド３３のフランジ３３１との間にできる隙間Ｓよりも少なくとも頂点においては大きくなっている必要がある。また板状体７３をプラスチック等の合成樹脂で形成すると、三角形状体を形成するのに好適である。
【００４５】
傾斜体をこのように設けた場合、注射器本体５から注射針３を分離するにあたり、板バネのような強い弾性はないが、下向きに頂点を有する三角形状体は徐徐に下方への突出量が増大していくので、注射器１のスリット７３１における進行に伴って注射器本体５の先
端５１３と注射針３の差し込みヘッド３３のフランジ３３１との間にできる隙間Ｓよりも三角形状体の下方への突出量が大きくなった時点で、注射器本体５から注射針３が外れて板バネの場合と同様、使用済みの注射器１は注射針３には全く手を触れることなく注射器本体５から注射針３を分離してかつそれらを分別して処理することができる。
【００４６】
傾斜体としては、この他にも種種の形態が考えられるが、要は注射針３がスリット７３１に入れられた状態でスリット７３１を移動した時に、注射器本体５の先端５１３と注射針３の差し込みヘッド３３のフランジ３３１との間にできる隙間Ｓに介在され、かつスリット７３１に沿って注射器１を移動した時に差し込みヘッド３３を下方に押しやり、もって注射針３を注射器本体５から分離させる外力を与えることができるものであれば何でもよい。よって傾斜体はその機能性から注射針分離部と呼称できる。
【００４７】
また、板状体７３の裏面７３ｉのうちスリット７３１の始端部７３１ｓと中間部７３１ｍとに対応する箇所には注射器本体５から分離した注射針３の逆流を防止するための注射針逆流防止部としての針逆流防止スカート７３５を垂下させてある（図５〜図７参照）。針逆流防止スカート７３５は、スリットを間に挟んで対向する一対の板材であって、少なくともそれらの先端部７３５ａは、先細り形状とされている。このようにすることにより、注射器本体５から分離された注射針３は、注射針回収部本体７１に一度回収されたらそこから逆流することはない。
【００４８】
なお、本発明は上述の図示例にのみ限定されるものではなく、本発明の要旨を逸脱しない範囲内において種種変更を加え得ることは勿論である。
【図面の簡単な説明】
【００４９】
【図１】注射針の斜視図である。
【図２】本発明に係る注射針離脱臭が取り付けられている注射針回収容器の全体斜視図である。
【図３】図２の要部拡大図である。
【図４】図２の矢印ＩＶ方向から見た一部省略正面図である。
【図５】図２の矢印Ｖ方向から見た平面図である。
【図６】図２の矢印ＶＩ方向から見た一部省略側面図である。
【図７】図５のＶＩＩ−ＶＩＩ線断面図である。
【図８】図５のＶＩＩＩ−ＶＩＩＩ線拡大断面図である。
【図９】本発明に係る注射針回収容器のスリットの始端部に注射器の注射針を挿入前の状態を示す平面図と側断面図とを同時に示す図である。
【図１０】図９に連続する図であって、本発明に係る注射針回収容器のスリットの始端部に注射針を挿入した直後の状態を示す図である。
【図１１】図１０に連続する図であって、本発明に係る注射針回収容器のスリットの中間部に注射針を移動した状態を示す図である。
【図１２】図１１に連続する図であって、本発明に係る注射針回収容器のスリットの終端部に注射針を移動する直前の状態を示す図である。
【図１３】図１２に連続する図であって、本発明に係る注射針回収容器のスリットの終端部を注射針が通過した状態を示す図である。
【図１４】図１３に連続する図であって、本発明に係る注射針回収容器に注射針を回収した後の注射器本体を注射器本体回収容器に回収している状態を示す図である。
【図１５】図３のＸＶ−ＸＶ線断面図である。
【符号の説明】
【００５０】
１  注射器
３  注射針
５  注射器本体
７  注射針回収容器
９  注射器本体回収容器
３１  ニードル
３３  差し込みヘッド
５１  外筒
５３  内筒
７１  注射針回収部本体
７１ａ  開口
７３  板状体（注射針離脱具）
７３ｉ  裏面
７３ｏ  周囲部分
７７  ホッパー
９１  切り欠き形状部
３３１  フランジ
５１３  注射器本体先端
５１５  注射針装着部
５３３  ストッパー
６３１  注射器本体回収孔
７１１  注射針回収本体の側面
７３１  スリット
７３１ｅ  終端部
７３１ｍ  中間部
７３１ｓ  始端部
７３５  針逆流防止スカート
７３５ａ  先端部
７５１  板バネ（傾斜体，注射針分離部）
７５１ｓ  段差部分の基端
７５１ｅ  段差部分の終端
７５１１自由端部
７５１ｆ  固定端部
Ｂ  スリットの中間部と終端部との境界部分
Ｂｌ  板バネのうちスリットの中間部と終端部との境界部分に対応する箇所
ｈ  板状体の裏面と板バネの第１の折り曲げ箇所である基端との問の間隔間隔
ｈｌ  段差部分
Ｌｓ  スリットの軸
Ｓ  外筒の先端と注射針の差し込みヘッドのフランジとの間の隙間
Ｗ  回収量確認窓
【図１】
2007082606.tif 000003
【図２】
2007082606.tif 000004
【図３】
2007082606.tif 000005
【図４】
2007082606.tif 000006
【図５】
2007082606.tif 000007
【図６】
2007082606.tif 000008
【図７】
2007082606.tif 000009
【図８】
2007082606.tif 000010
【図９】
2007082606.tif 000011
【図１０】
2007082606.tif 000012
【図１１】
2007082606.tif 000013
【図１２】
2007082606.tif 000014
【図１３】
2007082606.tif 000015
【図１４】
2007082606.tif 000016
【図１５】
2007082606.tif 000017